(57)【要約】【課題】不在時や就寝時においても、防犯、防雨上の問題を生じさせることなく、室内と屋外との温度差による自然換気を行える自然換気構造を提供する。【解決手段】サッシ枠の縦枠部分１１に縦長スリット状の自然換気口１が設けられ、該換気口を屋外側から開閉する屋外側開閉材２と、室内側から開閉する室内側開閉材３とが備えられ、これらが連動機構４により換気口を開閉する。屋外側開閉材は無孔蓋部２ａを備え、該蓋部が屋外側に進出することで側方を向く換気用の通気部２ｃが形成され、該蓋部が後退することで換気口が蓋部で閉じられる。室内側開閉材３も無孔蓋部３ａを備え、該蓋部３ａが室内６側に進出することで側方を向く換気用の通気部３ｃが形成され、該蓋部が後退することで換気口が蓋部で閉じられる。【選択図】      図１
2007162451.tif 000002
【特許請求の範囲】
【請求項１】
サッシ枠の縦枠部分に縦長スリット状の自然換気口が設けられ、室内と屋外との温度差により該自然換気口で吸気と排気が同時に行われるようになされていると共に、
該スリット状自然換気口を屋外側から開閉する屋外側開閉材と、同スリット状自然換気口を室内側から開閉する室内側開閉材とが備えられ、これら屋外側開閉材と室内側開閉材とが連動機構により連動してスリット状自然換気口を開閉するようになされており、かつ、
前記屋外側開閉材が無孔の蓋部を備え、該蓋部が屋外側に進出することにより該蓋部とスリット状自然換気口との間に側方を向く換気用の通気部が形成されて換気口が開かれ、該蓋部が後退することにより換気口が蓋部で閉じられるようになされており、
前記室内側開閉材が無孔の蓋部を備え、該蓋部が室内側に進出することにより該蓋部とスリット状自然換気口との間に側方を向く換気用の通気部が形成されて換気口が開かれ、該蓋部が後退することにより換気口が蓋部で閉じられるようになされていることを特徴とする自然換気構造。
【請求項２】
前記連動機構が、
屋外側、室内側の両開閉材を開閉方向に案内するガイド機構と、両開閉材を連結し、両開閉材に、連動した開閉動作を行わせるリンク機構とを備えたものからなり、
該連動機構がスリット状自然換気口内の上下方向の複数箇所に設けられている請求項１に記載の自然換気構造。
【請求項３】
前記ガイド機構が、
サッシ枠の縦枠部分に設けられ、傾斜カム溝部を備えた、室内側開閉材用のカム溝及び屋外側開閉材用のカム溝と、
屋外側、室内側の各開閉材に設けられ、対応するカム溝に移動可能に係合するピンと
を備え、各開閉材に上下方向の力が加えられることにより、ピンが傾斜カム溝部に案内されて、開閉材が斜め上下方向に移動してスリット状自然換気口を開閉するようになされており、
前記リンク機構が、
屋外側、室内側の両開閉材の間で、中間部をサッシ枠の縦枠部分に枢着され、該枢着部を挟む両側が各開閉材の側で上下するように備えられると共に、両端部に二股状スライド部が設けられたリンクと、
屋外側、室内側の各開閉材に設けられ、前記リンクの二股状スライド部に移動可能に係合するピンと
を備え、室内側の開閉材に上下方向の力を加えることにより、前記リンクが回動して、屋外側の開閉材が開閉されるようになされており、かつ、
前記室内側開閉材に、上下方向の力を加えるための手掛かり部が備えられている請求項２に記載の自然換気構造。
【請求項４】
前記室内側開閉材用のカム溝及び／又は屋外側開閉材用のカム溝が、傾斜カム溝部の上端側及び／又は下端側に連通する縦カム溝部を備え、開き位置及び／又は閉じ位置においてピンが縦カム溝内に位置するようになされている請求項３に記載の自然換気構造。
【発明の詳細な説明】
【技術分野】
【０００１】
本発明は、自然換気構造に関する。
【背景技術】
【０００２】
建物の開口部に設けられたサッシ窓の引き違い式の障子を開くことで、室内を室内と屋外との温度差による自然換気によって換気することは、従来よりごく普通に行われている。
【特許文献１】特開２００３−２２７２７７号公報
【発明の開示】
【発明が解決しようとする課題】
【０００３】
しかしながら、この方法では、不在時や就寝時には、防犯、防雨上の観点から上記のような自然換気をすることができないという欠点がある。
【０００４】
本発明は、上記のような問題点に鑑み、不在時や就寝時においても、防犯、防雨上の問題を生じさせることなく、室内と屋外との温度差による効果的な自然換気を行うことができる自然換気構造を提供することを課題とする。
【課題を解決するための手段】
【０００５】
上記の課題は、サッシ枠の縦枠部分に縦長スリット状の自然換気口が設けられ、室内と屋外との温度差により該自然換気口で吸気と排気が同時に行われるようになされていると共に、
該スリット状自然換気口を屋外側から開閉する屋外側開閉材と、同スリット状自然換気口を室内側から開閉する室内側開閉材とが備えられ、これら屋外側開閉材と室内側開閉材とが連動機構により連動してスリット状自然換気口を開閉するようになされており、かつ、
前記屋外側開閉材が無孔の蓋部を備え、該蓋部が屋外側に進出することにより該蓋部とスリット状自然換気口との間に側方を向く換気用の通気部が形成されて換気口が開かれ、該蓋部が後退することにより換気口が蓋部で閉じられるようになされており、
前記室内側開閉材が無孔の蓋部を備え、該蓋部が室内側に進出することにより該蓋部とスリット状自然換気口との間に側方を向く換気用の通気部が形成されて換気口が開かれ、該蓋部が後退することにより換気口が蓋部で閉じられるようになされていることを特徴とする自然換気構造によって解決される（第１発明）。
【０００６】
この自然換気構造では、サッシ枠の縦枠部分に設けられた縦長スリット状の自然換気口によって、室内と屋外との温度差による効果的な自然換気が行われる。そして、このように縦長スリット状の自然換気口は、サッシ枠の縦枠部分に設けられているので、サッシの障子を閉めた状態でもそのような自然換気を行うことができ、防犯上の問題を生じさせることがない。
【０００７】
また、該スリット状自然換気口は、屋外側開閉材と室内側開閉材とで開閉されるが、屋外側開閉材は、無孔の蓋部を備え、該蓋部が屋外側に進出することにより該蓋部とスリット状自然換気口との間に側方を向く換気用の通気部が形成されて換気口が開かれるようになされているので、屋外側開閉材の無孔の蓋部と、側方を向く通気部とによって、換気口への雨の侵入を防ぎながら、自然換気を行うことができるし、無孔の蓋部が後退することにより換気口が該蓋部で閉じられるようになされているので、スリット状自然換気口を閉じた状態での雨風の侵入も防ぐことができる。
【０００８】
また、スリット状自然換気口は、屋外側開閉材で開かれていても閉じられていても、屋外側開閉材の無孔の蓋部で隠されることにより、屋外から見たスリット状自然換気口部分をスッキリとした外観にすることができる。
【０００９】
しかも、スリット状自然換気口を、屋外側からは屋外側開閉材で閉じ、室内側からは室内側開閉材で閉じる二重閉じ構造で閉じるようにしているので、屋外側開閉材と室内側開閉材との間に形成される空気層によって、閉じられた状態での換気口部分の断熱性能を高いものにすることができる。
【００１０】
更に、室内側開閉材も無孔の蓋部を備え、該蓋部が室内側に進出することにより該蓋部と換気口との間に側方を向く換気用の通気部が形成されて換気口が開かれるようになっているので、室内での、換気による気流感を緩和することができる。また、スリット状自然換気口が室内側開閉材で開かれていても閉じられていても、該スリット状自然換気口は、室内側開閉材の無孔の蓋部で隠されることにより、室内から見たスリット状自然換気口部分をスッキリとした外観にすることができる。
【００１１】
第１発明の自然換気構造において、前記連動機構が、屋外側、室内側の両開閉材を開閉方向に案内するガイド機構と、両開閉材を連結し、両開閉材に、連動した開閉動作を行わせるリンク機構とを備えたものからなり、該連動機構がスリット状自然換気口内の上下方向の複数箇所に設けられているとよい（第２発明）。
【００１２】
この場合は、ガイド機構とリンク機構によって両開閉材の室内外方向、即ち前後方向の進退動作をスムーズなものにすることができ、ガイド機構の採用で、両開閉材を連動させるリンク機構も簡素な機構のものを採用することができて、幅狭な自然換気口内にコンパクトに組み込むことができる。しかも、該連動機構がスリット状自然換気口内の上下方向の複数箇所に設けられているので、両開閉材に安定したスムーズな進退動作を行わせることができる。
【００１３】
第２発明の自然換気構造において、
ガイド機構が、
サッシ枠の縦枠部分に設けられ、傾斜カム溝部を備えた、室内側開閉材用のカム溝及び屋外側開閉材用のカム溝と、
屋外側、室内側の各開閉材に設けられ、対応するカム溝に移動可能に係合するピンと
を備え、各開閉材に上下方向の力が加えられることにより、ピンが傾斜カム溝部に案内されて、開閉材が斜め上下方向に移動してスリット状自然換気口を開閉するようになされており、
リンク機構が、
屋外側、室内側の両開閉材の間で、中間部をサッシ枠の縦枠部分に枢着され、該枢着部を挟む両側が各開閉材の側で上下するように備えられると共に、両端部に二股状スライド部が設けられたリンクと、
屋外側、室内側の各開閉材に設けられ、前記リンクの二股状スライド部に移動可能に係合するピンと
を備え、室内側の開閉材に上下方向の力を加えることにより、前記リンクが回動して、屋外側の開閉材が開閉されるようになされており、かつ、
前記室内側開閉材に、上下方向の力を加えるための手掛かり部が備えられているとよい（第３発明）。
【００１４】
この場合は、屋外側、室内側の両開閉材を一つのリンクで連動して開閉させることができて、一つのリンク機構にリンクは一つでよく、リンク機構を簡素化することができると共に、動きもスムーズなものにすることができ、ガイド機構もカム溝を利用したものであることにより簡素化できて、簡素な連動機構でスリット状自然換気口をスムーズに開閉させることができる。
【００１５】
しかも、室内側開閉材の手掛かり部に上下方向の力を加えて上げ下げすることでスリット状自然換気口が開閉され、開閉操作も、前後方向の押し引き操作による場合に比べて容易である。
【００１６】
第３発明において、室内側開閉材用のカム溝及び／又は屋外側開閉材用のカム溝が、傾斜カム溝部の上端側及び／又は下端側に連通する縦カム溝部を備え、開き位置及び／又は閉じ位置においてピンが縦カム溝内に位置するようになされている場合（第４発明）は、開き位置及び／又は閉じ位置において、開閉材に前後方向の不意の力が働いても開閉動作は行われず、開き位置及び／又は閉じ位置を保持することができて、開閉材が誤って動作してしまうのを防ぐことができる。
【発明の効果】
【００１７】
本発明は、以上のとおりのものであるから、不在時や就寝時においても、防犯、防雨上の問題を生じさせることなく、室内と屋外との温度差による自然換気を行うことができ、また、自然換気口を閉じた状態での該換気口部分の断熱性能を高いものにすることができる。更に、室内での、換気による気流感を緩和することができ、また、室内側や屋外側から見たスリット状自然換気口部分の外観を無孔の蓋部で隠されたスッキリとした外観にすることができる。
【発明を実施するための最良の形態】
【００１８】
次に、本発明の実施最良形態を図面に基づいて説明する。
【００１９】
第１実施形態の自然換気構造は、図９（イ）に示すように、引き違い式の腰高サッシ窓１０の左右の縦枠部分に設けられたもので、縦長のスリット状自然換気口１，１は、サッシ枠の縦枠に設けられるか、あるいは、サッシ枠の縦枠と障子２０との間に縦枠に固定して設けられた付属縦枠１１，１１に設けられ、図９（ロ）に示すように、室内６と屋外５との温度差によって、各自然換気口１で吸気と排気が同時に行われるようになされている。
【００２０】
そして、各スリット状自然換気口１には、図１〜図４に示すように、スリット状自然換気口１を屋外５側から開閉する屋外側開閉材２と、同スリット状自然換気口１を室内６側から開閉する室内側開閉材３とが備えられ、これら屋外側開閉材２と室内側開閉材３とが上下の連動機構４，４により連動してスリット状自然換気口１を開閉するようになされている。
【００２１】
屋外側開閉材２は、図１に示すように、スリット状自然換気口１を屋外５側から塞ぐ無孔蓋部としての蓋板部２ａと、該蓋板部２ａの両側部に連接された側板部２ｂ，２ｂとを備えた断面平面視コの字状をしたものからなっていて、屋外５において蓋板部２ａとは反対の側からスリット状自然換気口１に進退可能に嵌め込むことができるようになされている。
【００２２】
そして、各側板部２ｂ，２ｂには、換気用通気部としての通気開口部２ｃが上下方向に多数列設され、図２に示すように、屋外側開閉材２が、反屋外側に後退した状態となることによって、スリット状自然換気口１の屋外側開口部が蓋板部２ａで塞がれて閉じられ、図１に示すように、屋外側に進出した状態となることによって、両側板部２ｂ，２ｂが屋外５に露出し、それらに設けられている通気開口部２ｃ…によって、側方を向く換気用の通気部が形成されるようになされている。
【００２３】
また、蓋板部２ａには、両側板部２ｂ，２ｂよりも外方に突出する庇部２ｄ，２ｄが備えられ、該庇部２ｄに対応するように、付属縦枠１１の側には気密用のガスケット９，９が取り付けられ、蓋板部２ａがスリット状自然換気口１の屋外５側の開口部を閉じた状態で、庇部２ｄがガスケット９に気密状態に当接するようになされている。
【００２４】
一方、室内側開閉材３も同じく、スリット状自然換気口１を室内６側から塞ぐ無孔蓋部としての蓋板部３ａと、該蓋板部３ａの両側部に連接された側板部３ｂ，３ｂと、背板部３ｅとを備えたものからなっていて、室内６において、蓋板部３ａとは反対の側から換気口１に進退可能に嵌め込むことができるようになされている。
【００２５】
そして、各側板部３ｂ，３ｂには、換気用通気部としての通気開口部３ｃ…が上下方向に多数列設され、図２に示すように、室内側開閉材３が、反室内側に後退した状態となることによって、換気口１の室内側開口部が蓋板部３ａで塞がれて閉じられ、図１に示すように、室内６側に進出した状態となることによって、両側板部３ｂ，３ｂが室内に露出し、それらに設けられている通気開口部３ｃ…によって、側方を向く換気用の通気部が形成されるようになされている。また、背板部３ｅにも、通気用の開口部３ｆ…が、図示しないけれども上下方向に多数列設されており、蓋板部３ａと両側板部３ｂと背板部３ｅとに囲まれた内部にフィルター８が設けられている。
【００２６】
また、蓋板部３ａには、両側板部３ｂ，３ｂよりも外方に突出する庇部３ｄ，３ｄが備えられ、該庇部３ｄ，３ｄに対応するように、付属縦枠１１の側には気密用のガスケット９，９が取り付けられ、蓋板部３ａがスリット状自然換気口１の室内６側の開口部を閉じた状態で、庇部３ｄがガスケット９に気密状態に当接するようになされている。
【００２７】
そして、連動機構４，４は、屋外側開閉材２と室内側開閉材３のいずれか一方が開いたときもう一方を開かせ、一方が閉じたときもう一方を閉じさせるもので、スリット状自然換気口１内の上下二カ所に設けられており、各連動機構４は、屋外側、室内側の両開閉材２，３を開閉方向に案内するガイド機構１２と、両開閉材２，３を連結し、両開閉材２，３に、連動した開閉動作を行わせるリンク機構１３とを備えたものからなっている。
【００２８】
ガイド機構１２は、図１及び図３に示すように、各開閉材２，３の左右の側板部２ｂ，３ｂの外面部に設けられたローラー１４…と、各ローラー１４を屋内外方向、即ち前後方向に案内する上下の水平レール１５，１５とで構成され、該上下の水平レール１５，１５によって、各開閉材２，３は、上下左右方向のガタなく、前後方向に進退動作を行うことができるようになされている。
【００２９】
リンク機構１３は、各開閉材２，３の左右の側板部間の中心位置に備えられており、中央の第１リンク１６と、前後の第２リンク１７，１７とを備え、第１リンク１６はその長手方向の中央部が左右方向を向く水平軸体１８に回転可能に枢着され、前後の第２リンク１７，１７は長さが同じで、それらの一端が第１リンク１６の両端に水平軸回りで回転できるように枢着され、各第２リンク１７，１７の他端は、各開閉材２，３の両側板部２ｂ，３ｂに水平軸回りで回転できるように枢着されており、これにより、図３及び図４に示すように、一方の開閉材を前後方向に進退させると、それに連動して、もう一方の開閉材が前後方向に進退動作を行い、スリット状自然換気口１を開閉するようになされている。水平軸体１８は付属縦枠１１の側に取り付けられている。
【００３０】
なお、１９はコイルバネで、屋外、室内の両開閉材２，３を開かせた状態となるように付勢するものである。これら開閉材２，３の開閉操作は、電動で行われるようになされていてもよいし、ワックスシリンダーや形状記憶バネなどで行われるようになされていてもよいし、マニュアル操作で開閉させるようになされていてもよい。
【００３１】
上記の自然換気構造では、縦長スリット状の自然換気口１を開いた状態にすることにより、室内６と屋外５との温度差による自然換気が行われ、そして、該スリット状自然換気口１は、サッシ窓１０の付属縦枠１１に設けられているので、サッシの障子２０を閉めた状態でそのような自然換気を行うことができ、防犯上の問題を生じさせることがない。
【００３２】
また、該スリット状自然換気口１は、屋外側開閉材２と室内側開閉材３とで開閉されるが、屋外側開閉材２は、無孔の蓋板部２ａを備え、該蓋板部２ａが屋外５側に進出することにより側板部２ｂの通気開口部２ｃ…が側方を向いて屋外に露出し、換気口１が開かれるようになされているので、屋外側開閉材２の無孔の蓋板部と２ａ、側方を向く通気開口部２ｃ…とによって、換気口１への雨の侵入を防ぎながら、自然換気を行うことができる。また、無孔の蓋板部２ａが後退することにより換気口１が該蓋板部２ａで閉じられるようになされているので、スリット状自然換気口１を閉じた状態での雨風の侵入も確実に防ぐことができる。
【００３３】
また、スリット状自然換気口１は、屋外側開閉材２で開かれていても閉じられていても、屋外側開閉材２の無孔の蓋板部２ａで隠されることにより、屋外５から見たスリット状自然換気口部分をスッキリとした外観にすることができる。
【００３４】
しかも、スリット状自然換気口１を、屋外５側からは屋外側開閉材２で閉じ、室内６側からは室内側開閉材３で閉じる二重閉じ構造で閉じるようにしているので、屋外側開閉材２と室内側開閉材３との間に形成される空気層によって、閉じられた状態での換気口部分の断熱性能を高いものにすることができる。
【００３５】
特に、本実施形態では、庇部２ｄ，３ｄとガスケット９…とが備えられ、開閉材２，３の蓋板部２ａ，３ａがスリット状自然換気口１を気密状態に閉じるようになされているので、高い断熱性能を発揮することができる。
【００３６】
更に、室内側開閉材３も無孔の蓋板部３ａを備え、該蓋板部３ａが室内６側に進出することにより該蓋板部３ａとスリット状自然換気口１との間に側方を向く換気用の通気部３ｃが形成されてスリット状自然換気口１が開かれるようになっているので、室内６での、換気による気流感を緩和することができ、また、スリット状自然換気口１が室内側開閉材３で開かれていても閉じられていても、該スリット状自然換気口１は、室内側開閉材３の無孔の蓋板部３ａで隠されることにより、室内６から見たスリット状自然換気口部分をスッキリとした外観にすることができる。
【００３７】
そして、連動機構４をガイド機構１２とリンク機構１３とで構成したことにより、両開閉材２，３の室内外方向、即ち前後方向の進退動作をスムーズなものにすることができ、ガイド機構１２の採用で、両開閉材２，３を連動させるリンク機構１３も３本のリンク１６，１７，１７からなる簡素な機構のものを採用することができて、幅狭な自然換気口内にコンパクトに組み込むことができ、２つの連動機構４，４がスリット状自然換気口１内の上下に設けられていることで両開閉材２，３に安定したスムーズな進退動作を行わせることができる。
【００３８】
図５〜図８に示す第２実施形態の自然換気構造は、連動機構４と、屋外側、室内側の両開閉材２，３の開閉動作の仕方が、第１実施形態とは異なる。
【００３９】
即ち、図７（イ）に示すように、付属縦枠１１のスリット状自然換気口１を挟む左右両面部に、室内側開閉材３用及び屋外側開閉材２用の各カムブロック２６…が取り付けられ、各カムブロック２６には、スリット状自然換気口内を向いて開口するカム溝２７が設けられ、屋外側、室内側の各開閉材２，３の側に設けられた側方突出ピン２５がカム溝２７内に移動可能に突出している。そして、カム溝２７は、図５、図６及び図７（ロ）に示すように、屋外側５から室内側６に向けて斜め上方に延びる斜めカム溝部２７ａと、該斜めカム溝部２７ａの上下からそれぞれ上下方向に延びる縦カム溝部２７ｂ，２７ｂとを備え、室内側開閉材３が、カム溝２７により閉じ位置から室内側に向けて斜め上方に案内されて、スリット状自然換気口１を開くようになされていると共に、屋外側開閉材２が、カム溝２７により、閉じ位置から屋外側に向けて斜め下方に案内されてスリット状自然換気口１を開くようになされて、連動機構４のガイド機構を構成している。２７ｃはピン導入口である。
【００４０】
また、スリット状自然換気口１内において、屋外側、室内側の両開閉材２，３間には、リンク２８が設けられ、該リンク２８は、その中央部に備えられた水平枢軸部２９が付属縦枠１１に枢着されることにより、該枢着部を挟む両側が各開閉材２，３の側で上下するようになされている。そして、該リンク２８の両端部には二股状スライド部２８ａ，２８ａが設けられ、屋外側、室内側の各開閉材２，３の側に設けられたピン２４が、リンク２８の二股状スライド部２８ａ，２８ａ内に移動可能に係合し、室内側の開閉材３に上下方向の力を加えて開閉動作を行わせることにより、リンク２８が回動して、屋外側の開閉材２が開閉されるようになされて、連動機構４のリンク機構を構成している。
【００４１】
そして、室内側開閉材３には、室内側６に面して設けられた凹所内の高さ方向中間部に、室内側開閉材３を上下させるための水平板状の手掛かり部３０が設けられている。
【００４２】
なお、図７（ロ）に示すように、ピン２４，２４，２５は、係合ユニット２３に備えられて、室内側開閉材３と、図示しない屋外側開閉材２とに取り付けられている。なお、ピン２４，２４，２５は、本来のピンからなっていてもよいし、動きをスムーズなものにするためローラー式のピンなどからなっていてもよい。
【００４３】
上記のような連動機構４を採用した自然換気構造では、スリット状自然換気口１が閉じられた図６に示す状態から、室内側開閉材３の手掛かり部３０を押し上げていけば、連動機構４が図８に示すような動作過程を経て、図５に示すように、室内側開閉材３は室内側６に向けて斜め上方に移動し、屋外側開閉材２は屋外側に向けて斜め下方に移動し、スリット状自然換気口１が開かれた状態となる。
【００４４】
また逆に、図５に示す状態から、室内側開閉材３の手掛かり部３０を押し下げていけば、連動機構４によって、室内側開閉材３は屋外側５に向けて斜め下方に移動し、屋外側開閉材２は室内側６に向けて斜め上方に移動し、図６に示すようにスリット状自然換気口１が閉じられた状態となる。
【００４５】
また、開き位置及び閉じ位置において、ガイド機構を構成しているピン２５はカム溝２７の縦カム溝部２７ｂ内に位置するが、それにより、各開閉材２，３に前後方向に押し引きする力が働いても開閉動作は行われず、開き位置あるいは閉じ位置を保持し、室内側開閉材３や屋外側開閉材２を不意に押してしまったがためにスリット状自然換気口１が閉じてしまったり、室内側開閉材３や屋外側開閉材２に引っ掛けてしまったがためにスリット状自然換気口１が開いてしまったりする誤動作の発生をなくすことができる。
【００４６】
このように上記の連動機構４によれば、リンク２８を一つ備えたリンク機構によって屋外側、室内側の両開閉材２，３を連動して開閉させることができ、リンク機構を構造簡素なものにすることができると共に、動きもスムーズなものにすることができ、ガイド機構もピン２５とカム溝２７からなる構造であることにより、簡素な連動機構でスリット状自然換気口１をスムーズに開閉させることができる。
【００４７】
また、室内側開閉材３の手掛かり部３０に上下方向の力を加えて上げ下げすることで両開閉材２，３が前後してスリット状自然換気口１が開閉され、開閉操作も容易に行うことができる。
【００４８】
以上に、本発明の実施形態を示したが、本発明はこれに限られるものではなく、発明思想を逸脱しない範囲で各種の変更が可能である。例えば、第２実施形態の自然換気構造では、室内側開閉材用のカム溝と屋外側開閉材用のカム溝とそれぞれ、傾斜カム溝部の上端側及び下端側に連通する上下の縦カム溝部を備え、開き位置及び閉じ位置においてピンが縦カム溝内に位置するようになされている場合を示したが、第４発明では、縦カム溝部は、室内側開閉材用のカム溝と屋外側開閉材用のカム溝のいずれか一方にのみ備えられていてもよいし、傾斜カム溝部の上端側のみに備えられていてもよいし、傾斜カム溝部の下端側にのみ備えられていてもよいし、要は、開き位置及び／又は又は閉じ位置において開閉材が前後方向の力によって開閉動作を行えないような態様で備えられていればよい。
【００４９】
また、第２実施形態では、室内側開閉材が閉じ位置から室内側に向けて斜め上方に移動することで開き状態になり、屋外側開閉材が閉じ位置から屋外側に向けて斜め下方に移動することで開き状態になる場合を示したが、第３発明では、室内側開閉材が閉じ位置から室内側に向けて斜め下方に移動することで開き状態になり、屋外側開閉材が閉じ位置から屋外側に向けて斜め上方に移動することで開き状態になるようにされていてもよい。
【００５０】
更に、上記の各実施形態では、連動機構が特定のガイド機構と特定のリンク機構からなる場合を示したが、第２発明では、その他のガイド機構やその他のリンク機構を用いた連動機構が採用されてもよいし、第１発明では、ガイド機構やリンク機構によらない連動機構が採用されてもよい。
【図面の簡単な説明】
【００５１】
【図１】第１実施形態の自然換気構造を示すもので、スリット状自然換気口を開いた状態の図９（イ）のＩ−Ｉ線断面矢視図である。
【図２】スリット状自然換気口を開じた状態の図９（イ）のＩ−Ｉ線断面矢視図である。
【図３】スリット状自然換気口を開いた状態の断面側面図である。
【図４】スリット状自然換気口を閉じた状態の断面側面図である。
【図５】第２実施形態の自然換気構造を示すもので、スリット状自然換気口を開いた状態の断面側面図である。
【図６】同自然換気構造を示すもので、スリット状自然換気口を閉じた状態の断面側面図である。
【図７】図（イ）は同自然換気構造を示すもので、スリット状自然換気口を開いた状態の平面断面、図（ロ）はガイド機構の分解斜視図である。
【図８】図（イ）〜図（ハ）は連動機構の開閉動作過程を順次に示す側面図である。
【図９】図（イ）はサッシ窓の正面図、図（ロ）はスリット状自然換気口部分の断面側面図である。
【符号の説明】
【００５２】
１…スリット状自然換気口
２…屋外側開閉材
２ａ…蓋板部
２ｃ…通気開口部（換気用通気部）
３…室内側開閉材
３ａ…蓋板部
３ｃ…通気開口部（換気用通気部）
４…連動機構
５…屋外
６…室内
１１…付属縦枠（サッシの縦枠部分）
１２…ガイド機構
１３…リンク機構
２４…ピン
２５…ピン
２７…カム溝
２７ａ…斜めカム溝部
２７ｂ…縦カム溝部
２８…リンク
２８ａ…二股状スライド部
３０…手掛かり部
【図１】
2007162451.tif 000003
【図２】
2007162451.tif 000004
【図３】
2007162451.tif 000005
【図４】
2007162451.tif 000006
【図５】
2007162451.tif 000007
【図６】
2007162451.tif 000008
【図７】
2007162451.tif 000009
【図８】
2007162451.tif 000010
【図９】
2007162451.tif 000011